【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
エンジンの内部構成部分に耐摩耗膜を形成する方法であって、下記の工程からなる方法：エンジンの内部摩耗性部分の表面に、一般式Ｓｉ−Ｘ4（式中、各々のＸは独立に、ヒドロキシル、アルコキシ、アリールオキシ、アシルオキシ、アミノ、モノアルキルアミノおよびジアルキルアミノからなる群より選ばれる）を有する四官能の加水分解性シラン化合物またはその加水分解生成物を接触させる工程、そして四官能のシランを加水分解して縮合させ、それにより被膜を形成する工程。
【請求項２】
さらに、エンジンの内部摩耗性部分を２０乃至３００℃の温度に加熱する工程を含む請求項１に記載の方法。
【請求項３】
少なくとも接触、加水分解及び縮合または加熱工程のひとつを、該エンジンを作動させることにより実施する請求項２に記載の方法。
【請求項４】
加水分解及び縮合工程を触媒を存在させて実施する請求項１に記載の方法。
【請求項５】
触媒が、（ｉ）金属アセチルアセトナト、（ii）ジアミド、（iii）イミダゾール、（iv）アミンおよびアンモニウム塩、（ｖ）無機酸、有機酸、有機スルホン酸もしくはそれらのアミン塩、（vi）カルボン酸のアルカリ金属塩、（vii）アルカリもしくはアルカリ土類金属水酸化物もしくは酸化物、（viii）フッ化物塩、並びに（ix）有機金属からなる群より選ばれる請求項４に記載の方法。
【請求項６】
四官能の加水分解性シラン化合物が潤滑油媒体中にある請求項１に記載の方法。
【請求項７】
潤滑油が更に、清浄剤、分散剤および酸化防止剤からなる群より選ばれる少なくとも一種の添加剤を含んでいる請求項６に記載の方法。
【請求項８】
潤滑油が更に不純物として水を含んでいる請求項７に記載の方法。
【請求項９】
Ｘが独立に、Ｃ1-6アルコキシ、Ｃ6-10アリールオキシおよびＣ1-6アシルオキシからなる群より選ばれる請求項１に記載の方法。
【請求項１０】
四官能の加水分解性シラン化合物が、下記式Ｉの化合物またはその加水分解生成物から選ばれる請求項１に記載の方法。
【化１】
2008056930.tif 000001
（式中、各々のＲは独立に、直鎖及び分枝鎖アルキル、シクロアルキル、アルクシクロアルキル、アリール、アルカリール、アリールアルキル、およびヒドロキシ基、アルコキシ基、エステル基またはアミノ基から選ばれる１個以上の置換基を持つ置換炭化水素基からなる群より選ばれるＣ1-20炭化水素基であり、
各々のＲ1は独立に、直鎖及び分枝鎖アルキル、シクロアルキルおよびアリールであり
、そして
ａは、０〜４の整数である）
【請求項１１】
ａが１〜４の整数である請求項１０に記載の方法。
【請求項１２】
ａが４である請求項１１に記載の方法。
【請求項１３】
Ｒが独立に、アルキル、アリール、アルカリールおよびアリールアルキルから選ばれる請求項１０に記載の方法。
【請求項１４】
Ｒが独立に、直鎖及び分枝鎖アルキル基から選ばれる請求項１３に記載の方法。
【請求項１５】
ＲがＣ1-6アルキルである請求項１４に記載の方法。
【請求項１６】
四官能の加水分解性シラン化合物が、テトラメトキシシラン、テトラエトキシシラン、テトラプロポキシシラン、テトライソプロポキシシラン、テトラブトキシシラン、テトライソブトキシシラン、テトラキス（メトキシエトキシ）シラン、テトラキス（メトキシプロポキシ）シラン、テトラキス（エトキシエトキシ）シラン、テトラキス（メトキシエトキシエトキシ）シラン、トリメトキシエトキシシラン、ジメトキシジエトキシシラン、トリエトキシメトキシシラン、テトラ−（４−メチル−２−ペントキシ）シラン、およびテトラ−（２−エチルヘキソキシ）シランからなる群より選ばれる請求項１４に記載の方法。
【請求項１７】
四官能の加水分解性シラン化合物がテトラエトキシシランである請求項１６に記載の方法。
【請求項１８】
少なくとも一つのＲが置換炭化水素基である請求項１０に記載の方法。
【請求項１９】
少なくとも一つの置換炭化水素基が、グリコールモノエーテルまたはアミノアルコールから誘導されたものである請求項１８に記載の方法。
【請求項２０】
さらに、エンジンの内部摩耗性部分の表面に、下記式IIで表される部分非加水分解性シラン添加剤を接触させる工程を含む請求項１に記載の方法。
【化２】
2008056930.tif 000002
（式中、各ＯＲ11基は、アルコキシ、アリールオキシおよびアシルオキシからなる群より独立に選ばれる加水分解性部であり、
各Ｒ10は、アルキル、アリール、置換アルキルおよび置換アリールから独立に選ばれる非加水分解性基であり、ただし、置換基は、ヒドロキシル、エーテル、アミノ、モノアルキルアミノ、ジアルキルアミノ、アミド、カルボキシル、メルカプト、チオエーテル、アクリルオキシ、シアノ、アルデヒド、アルキルカルボニル、スルホン酸およびリン酸から選ばれる官能基である、そして
ｎは、１、２または３の整数である）
【請求項２１】
エンジンの内部摩耗性部分の表面にまず、式IIで表される部分非加水分解性シラン添加剤を接触させる請求項２０に記載の方法。
【請求項２２】
エンジンの内部摩耗性部分の表面に接触させる前に、四官能の加水分解性シラン化合物と式IIで表される部分非加水分解性シラン添加剤とを、潤滑粘度の油中で混合する請求項２０に記載の方法。
【請求項２３】
ＯＲ11基が、Ｃ1-6アルコキシ、Ｃ6-10アリールオキシおよびＣ1-6アシルオキシからなる群より選ばれる請求項２０に記載の方法。
【請求項２４】
部分非加水分解性シラン添加剤が、メチルトリメトキシシラン、エチルトリメトキシシラン、プロピルトリメトキシシラン、ブチルトリメトキシシラン、イソブチルトリメトキシシラン、ヘキシルトリメトキシシラン、４−メチル−２−ペンチルトリエトキシシラン、オクチルトリメトキシシラン、デシルトリメトキシシラン、シクロヘキシルトリメトキシシラン、シクロヘキシルメチルトリメトキシシラン、ジメチルジメトキシシラン、２−（３−シクロヘキセニル）エチルトリメトキシシラン、３−シアノプロピルトリメトキシシラン、３−シアノプロピルトリメトキシシラン、４−メチル−２−ペンチルトリメトキシシラン、フェネチルトリメトキシシラン、３−メルカプトプロピルトリメトキシシラン、３−アミノプロピルトリメトキシシラン、フェニルトリメトキシシラン、３−イソシアノプロピルトリメトキシシラン、Ｎ−（２−アミノエチル）−３−アミノプロピルトリメトキシシラン、４−（２−アミノエチルアミノメチル）フェネチルトリメトキシシラン、フェニルトリエトキシシラン、エチルトリエトキシシラン、プロピルトリエトキシシラン、ブチルトリエトキシシラン、イソブチルトリエトキシシラン、ヘキシルトリエトキシシラン、オクチルトリエトキシシラン、デシルトリエトキシシラン、シクロヘキシルトリエトキシシラン、シクロヘキシルメチルトリエトキシシラン、３−シアノプロピルトリエトキシシラン、３−エトキシプロピルトリメトキシシラン、２−エチルヘキシルトリメトキシシラン、２−エチルヘキシルトリエトキシシラン、３−エトキシプロピルトリメトキシシラン、３−プロポキシプロピルトリメトキシシラン、３−メトキシエチルトリメトキシシラン、３−エトキシエチルトリメトキシシラン、および３−プロポキシエチルトリメトキシシランからなる群より選ばれる請求項２０に記載の方法。
【請求項２５】
部分非加水分解性シラン添加剤が、３−アミノプロピルトリメトキシシラン、３−アミノプロピルトリエトキシシラン、３−アミノプロピルトリプロポキシシラン、３−アミノプロピルトリブトキシシラン、および４−アミノブチルトリエトキシシランから選ばれる請求項２０に記載の方法。
【請求項２６】
さらに、四官能の加水分解性シラン化合物と部分非加水分解性シラン添加剤を、清浄剤、分散剤および酸化防止剤からなる群より選ばれる少なくとも一種の添加剤と一緒に、潤滑粘度の油に予備ブレンドする工程を含む請求項２０に記載の方法。
【請求項２７】
請求項１に記載の方法に従って製造された生成物。
【請求項２８】
請求項６に記載の方法に従って製造された生成物。
【請求項２９】
請求項７に記載の方法に従って製造された生成物。
【請求項３０】
請求項２２に記載の方法に従って製造された生成物。
【請求項３１】
請求項２６に記載の方法に従って製造された生成物。
【請求項３２】
下記の工程からなる方法により製造された生成物：
下記の成分を含む潤滑剤組成物を製造する工程：
ａ）主要量の潤滑粘度の基油、
ｂ）０．５乃至１０％の、下記式Ｉの化合物またはその加水分解生成物から選ばれる四官能の加水分解性シラン化合物、
【化３】
2008056930.tif 000003
（式中、Ｒは独立に、直鎖もしくは分枝鎖のアルキル、シクロアルキル、アルクシクロアルキル、アリール、アルカリール、アリールアルキル、およびヒドロキシ基、アルコキシ基、エステル基またはアミノ基から選ばれる１個以上の置換基を持つ置換炭化水素基からなる群より選ばれるＣ1-20炭化水素基であり、
Ｒ1は独立に、直鎖及び分枝鎖アルキル、シクロアルキルおよびアリールであり、そし
て
ａは、０〜４の整数である）
ｃ）０．５乃至１０％の清浄剤、および
ｄ）１乃至２０％の、平均分子量４５０乃至３０００のポリアルキレンから誘導されたアルケニルコハク酸イミド分散剤、
ただし、添加剤のパーセントは、潤滑油組成物の全質量パーセントに基づく質量パーセントである、そして
該潤滑剤を用いて内燃機関を作動させて、機関の内部摩耗性部分表面を潤滑にする工程。
【請求項３３】
さらに、潤滑剤を２０乃至３００℃の温度に加熱する工程を含む請求項３２に記載の方法により製造された生成物。